(57)【要約】      （修正有）【課題】ロール紙の引出し端をつまみ易く、引出し易くし、且つ、切断使用後の見栄えが良く、安全な構造のロール紙ホルダーを提供する。【解決手段】ロール紙の引出し部５ａを、受け部材３の板状部と覆い部材２の板状部で、ロール紙のロール部の外周面との間に指が挿入できる空間を確保しながら挟むように保持する。さらに、この紙の表裏を指でつまむための指挿入用の空間を、切刃を有しない側は引出し方向に向かって解放の切込み３ｂとするとともに、切刃を有する側は閉じた穴２ｂあるいは刃側は閉じて引出し元側は他の穴に繋がる解放の切込み穴として設け、穴端から刃までの板状部の肉厚形状を工夫し、つまみ出し時に常に両指の腹が紙に接触しているように構成する。【選択図】図２
0003163766.tif 000002
【実用新案登録請求の範囲】
【請求項１】
トイレットペーパーなどのロール紙を保持し、使用時には必要長さ引出し、これをカットすることができるように成した構造物であって、ロール紙の引出し時にロール部を定位置で回転可能に支持する構成部材を有するホルダーベースと、該ロール紙の引出し部の裏面又は表面を受ける第一板状部を有する部材であって該第一板状部に引出し方向に向かって開放したＵ字状の切込み穴を有する受け部材と、該受け部材とは該ロール紙の引出し部を間に挟んで対向する形で第二板状部が設けられ該第二板状部の該ロール紙の引出し方向の端部には該ロール紙の幅方向の全域に亘る該ロール紙を切る刃部を有し、なお且つ該受け部材の該Ｕ字状の切込み穴にほぼ対向する位置に穴、又は該ロール紙の引出し方向とは反対側に向かって解放されたＵ字状の切込み穴を有する蓋い部材とで成り、該ロール紙の引出し部が該受け部材の該第一板状部と該蓋い部材の該第二板状部で支持されている面部と該ロール紙のロール部円筒外周面との間には、該受け部材の該Ｕ字状の切込み穴と該蓋い部材の該穴またはＵ字状の切込み穴に露出しているロール紙引出し部の表裏面を指で挟むために指を挿入できる以上の空間を有するように該受け部材の形状を構成するロール紙ホルダー。
【請求項２】
請求項1の記載において、前記受け部材の前記第一板状部の前記ロール紙の引き方向元側近傍の該ロール紙面側に該ロール紙の外周面に当接する当接面を有し、また、該受け部材と前記蓋い部材をともに該ロール紙の回転軸と平行な回動軸を有するように前記ロール紙引出し部とは該ロール紙に対して略反対側の位置で前記ホルダーベースに軸支し、該ロール紙の使用による外周径の減少に追随し該当接面が常に該ロール紙の外周面に当接するように構成するロール紙ホルダー。
【請求項３】
請求項1の記載において、前記受け部材は前記ロール紙の使用に伴う外周径の減少には追随せず前記ホルダーベースとの位置関係は一定であり、前記覆い部材を該ロール紙の回転軸と平行な回動軸を有するように前記ロール紙引出し部とは該ロール紙に対して略反対側の位置にて該ホルダーベースに軸支するロール紙ホルダー。
【請求項４】
請求項２の記載において、前記受け部材の前記当接面は、該受け部材とは固着の一体状態ではなく、前記ロール紙の回転軸と平行な回転軸で回転が可能なように該受け部材に軸支したローラーの外周面であるロール紙ホルダー。
【請求項５】
請求項３の記載において、通常時とロール紙引出し時には前記ロール紙の引出し部に前記蓋い部材の自重による押圧力を掛けないように弾性部材で該蓋い部材を僅かに押し上げていて、紙切断時に該蓋い部材を上から押した時にはその力で該弾性部材が変位すると同時に該ロール紙の引出し部を前記第一板状部と前記第二板状部とで押圧するように成す該弾性部材を該受け部材又は該蓋い部材に有するロール紙ホルダー。
【請求項６】
請求項３又は５のいずれかの記載において、前記蓋い部材あるいは前記受け部材の前記ロール紙の引出し部に対向する面である前記第一板状部又は前記第二板状部の面に、該ロール紙の幅方向に長く、幅の５０％以上の範囲に弾性材質のストッパーを設け、該ロール紙を切断するときに該ストッパーと該ロール紙を挟んで対向する該第二板状部又は第一板状部の面とで該ロール紙の引出し部を押さえられるように成したロール紙ホルダー。
【請求項７】
請求項２又は４のいずれかの記載において、前記蓋い部材の自重および手による押圧力が前記ロール紙の引出し部に掛からないように、前記第一板状部と前記第二板状部との間隔を前記ロール紙の紙厚よりも大きく保つ部材または形状を該蓋い部材または前記受け部材に構成するロール紙ホルダー。
【請求項８】
請求項1から７のいずれかの記載において、前記覆い部材に設けられた前記ロール紙の引出し部をつまむ指挿入用の前記穴またはＵ字状の切込み穴の端部と、前記刃部の間の部材の肉は一定で1ｍｍ厚以下、又は、該穴または該Ｕ字状の切込み穴の端部に近いほど薄くなるようにした厚さ状態のいずれかの肉厚形状状態で、且つ、該穴または該Ｕ字状の切込み穴の端部と該刃部の間の最短距離は１ｍｍ以上１０ｍｍ以下とするロール紙ホルダー。
【考案の詳細な説明】
【技術分野】
【０００１】
本案は、ロール紙の引出しを容易にし、且つ紙の切り端が整っていて、刃部の安全性の高いロール紙ホルダーに関するものである。
【背景技術】
【０００２】
ロール紙のホルダーなどの代表は、トイレットペーパーホルダーである。これに要求される品質は、生活様式の変化に伴い多様になってきている。特に一般家庭での使用に於いては、安全であること、外観が良いこと、使用しやすいことが要求事項の主題である。この中で近年特に使用時も含めた美的な面が重要視されていて、ペーパー端がきれいに切れていない、また、だらしなく垂れ下がっている、などの点が消費者に嫌われる傾向が顕著になってきている。このような要求の中で、紙の切断がきれいになるように工夫されてきてはいる。使い勝手としては、切り刃の付いた蓋い部材を上げてからロール紙の切断端をつまみ出すことになるが、きれいに切れている場合ほど、つまみ出す紙の切り端部がロール外周に密着していて、引出し時に端部をロールからつまみ上げるのに手間取ることが多い。更に、薄手で毛羽立ちが多く柔らかい紙質のものほどこの傾向が強い。また、近年、洗浄装置付き便座が普及し、トイレットペーパーの役目が汚れを拭き取ることよりも、残った水滴を拭く程度の役目になってきているので、紙の量が少なくても良いことが多く、経済的な面からも薄く柔らかい紙を短く、重ね巻きの紙などは更に短く使用する傾向になってきているので、つまみ出しにくい傾向が強くなってきている。
【０００３】
従来のロール紙ホルダーに於いては、特につまみ出しやすく引出し易くする提案が各種なされている。たとえば、切刃を有する蓋い部材の切刃近くに指を挿入する穴を設けて、蓋い部材の裏面に近接しているロール紙外周を直接引出し方向に指で回せるようにして、ロール紙の端部を切刃部から外に出し、蓋い部材を持ち上げなくても紙端をつまめるようにする案がある。しかし、トイレットペーパーのように柔らかく毛羽立ちの多い薄いロール紙の場合ほど、また端部がきれいに切れている場合ほど、端部がロール部外周面に密着する形でロール紙全体と一体で回って密着したままのことが多く、端部のつまみ出しには手間取る傾向にある。この種の案はつまみ易くする改善の追加が望まれる。
【０００４】
また、ロール紙の引出し端をつまみ出しやすくする提案として、切り刃の付いた蓋い部材あるいは受け部材の上に紙の引出し部が常に載るようにして、端部を確認しやすいようにする案がある。この種の案の傾向としては、紙の切り易さを追及すると切り刃が上を向いて鋭く突出することであり、日常時の安全性に難がある。また、引出し部が切り刃を持った部材の上に載る形になるので、紙を切る動作は、引出した後に下側に引っ張る動作になり、トイレ使用姿勢でひざ高さ近辺にあるトイレットペーパーホルダーの位置では、切断はやりにくい動作になる。
【０００５】
前述の紙切断時の難を改善するものとして、引出し端をロールの外周面から離れた位置に垂れ下がるようにいったん受け部材に掛ける形にして引出し端をつまみ易いようし、これに沿わせて外側に切断用の刃を有する蓋い部材を設け、更に、外部からロール紙の先端が確認できる穴を蓋い部材に設けたものがある。この場合、紙の切断動作は上方に引く形にはなり改善はあるが、切り刃が下を向いてはいるが、全幅突出している形になっているので、安全性の面でまだ難がある。また、紙の引出し端の垂れ下がり部が蓋い部材の裏面側に単に垂れ下がるだけのため、しっかりした定位置にあるとは言いがたく、美観とつまみ易さの点では今ひとつである。
【０００６】
更に進めた案として、受けの平板部に紙の引出し端を載せて、切り刃の付いた蓋い部材で蓋い、どちらか一方や両側に部分的に切込みを設けてつまみ易いように工夫した案がある。しかし、切り刃が切込み部で途切れる形状や、切り刃の無い側のみの切込みの構成では、紙を引出し易くすると切り端が醜くなり、切り端がきれいになるようにするとつまみ出し易さが劣るというようなシーソ状況で、更なる改善が求められる。
【先行技術文献】
【特許文献】
【０００７】
【特許文献１】特開２００１−５４４８６号公報
【特許文献２】特開２００９−１５３７４２号公報
【特許文献３】特開２００４−３２９７９８号公報
【特許文献４】特開２００５−２９６６３６号公報
【特許文献５】特開２００７−３０１３１３号公報
【特許文献６】特開平１１−９４９７号公報
【特許文献７】特開平９−９８９０５号公報
【特許文献８】特開平６−２８４９８８号公報
【特許文献９】特開２００１−４６２７４号公報
【特許文献１０】実開平５−６５２９５号公報
【考案の概要】
【考案が解決しようとする課題】
【０００８】
解決しようとする課題は、トイレットペーパーの端部をつまみ易くて引出し易く、且つ切り刃部が突出せず安全で、なお且つ紙の切り端が美しく、位置も安定しいて通常時の外観も整っている、使い勝手の良いトイレットペーパーに代表されるロール紙のホルダーの構造を提供することにある。
【課題を解決するための手段】
【０００９】
課題を解決するための手段は大きく分けて6つ。1つ目、引出し端をロール外周面から常に離れた位置に保持し、引出し端の表裏両面を指でつまめる空間を確保する。2つ目、引出し端を挟むように支持する受けの板状部と覆いの板状部を設け、引出し端が安定した位置に形良く保持されているようにする。3つ目、片方（たとえば覆い側）の板状部に切断のための刃を設け、刃部をもう一方（受け側）の板状部より突出させない配置にして安全性を確保する。４つ目、切断の刃部はロール紙の幅全域に切れ間無く設けて、切断し易く切断端がきれいになるようにする。５つ目、ロール紙の引出し端をつまんで引出するために、蓋いの板状部と受けの板状部に指が挿入できる穴や溝を設ける。この場合、切断のための刃部のある板状部に設けるロール紙つまみ用の指挿入用空間は、刃部に近い穴とし、もう一方の板状部に設けるもう一つの指挿入用空間は引出し方向に解放のＵ字状の切込みにする。６つ目、ロール紙の引出し端部の表裏面をつまんだ指の移動をスムースにするため、刃部のある板状部に明けられた穴の刃側の端部から刃までの肉を薄くする。あるいは肉厚の変化を引出し方向に向かって緩やかに厚くする。また、距離を短くし、引出し時に指の腹がロール紙に接触していない面積を減らし、つまみの確実性を向上させる。以上の手段を効率よく実現させる構造を提供する。
【考案の効果】
【００１０】
本案のロール紙ホルダーにおいては、ロール紙の引出し部が確認し易く、つまみ易く引出せて、且つ、切断端が一直線で、だらしなく垂れ下がったりもせずに定位置にあり、外観が良く、使用上の安全性も確実である。
【図面の簡単な説明】
【００１１】
【図１】第一の実施例の外観の斜視図である。
【図２】図１でのＹ軸方向の中央におけるＸＺ平面の断面図である。
【図３】図1より蓋い部材２を表示から外した場合の斜視図である。
【図４】図３から更にロール紙の引出し部５ａをロール上に巻き取った場合の図である。
【図５】ホルダーベース1の斜視図である。
【図６】蓋い部材２の斜視図である。
【図７】受け部材3とローラー４とを所定の組立て状態にした斜視図である。
【図８】第二の実施例の外観の斜視図である。
【図９】図8における第二ホルダーベース１１の取付け用穴１１ｄ１の中心を通るＸＺ平面の断面図である。
【図１０】図８より第二蓋い部材１２を表示から外し、ロール紙の引出し部５ａをロール上に巻き取った場合の斜視図である。
【図１１】第二蓋い部材の裏面にストッパー１４を設けた場合の斜視図である。
【図１２】第二受け部材にかまぼこ形状部を先端に有する板ばね状部材を設けた例の斜視図である。
【考案を実施するための形態】
【００１２】
以下、標準的な壁取付けタイプで、規格のトイレットペーパーを使用するトイレットペーパーホルダーに、本案を適用し課題を解決した実施例を説明する。
【実施例１】
【００１３】
第一の実施例を図１から７で示し説明する。ロール紙５はホルダーベース１の左右の壁に構成されたロール紙支持部材１ａと１ｂにより定位置で回転可能に保持される。回動支持機構は本形状にかかわらず、単なるロール紙の芯穴に挿入するローラーのタイプでも、また、ロール紙の外周を受ける滑りの良い板状部材での受けや、複数のローラーを使用した外周受けなどの既知技術の適用でも良く、本案の主要部ではないので、その構造の詳細説明は割愛する。
【００１４】
1の左右の壁に設けられた支軸穴1ｃを通る回動軸心Ａを中心に回動可能に1に保持されロール紙5の上部を蓋う蓋い部材２の先端部には、紙切断用である鋸状の刃部２ａがロール紙の幅全域以上に亘り隙間なく構成されている。２ａに近い幅方向の中央部には穴２ｂが設けられていて、断面図に見るように刃部側の端面は引出し方向に緩やかに厚みが増すようにしている。穴の大きさは概略２０ｍｍｘ２５ｍｍ弱の略楕円穴である。穴の大きさは、指の先端の腹部が充分にロール紙引出し部５ａと接触できる大きさならばこれに限定されない。また、この穴は、５の本体部上側にロール紙の状態を確認できるように大きく解放された穴に接続されるＵ字状の切込みの形態でも良い。
【００１５】
同じく回動軸心Ａを中心に回動可能に軸穴3ｃを１に回動支持された受け部材３は、５の引出し部５ａの裏面側を受ける板状部を有する。回動軸支持部から板状部までの間はロール紙５の幅以上の幅を持った空間を隔てた2つのアーム形状部であり、５ａはこの空間を通して3の板状部の上側で、且つ、２の板状部の下側の平板的な空間に導かれ、通常時と使用時では２と３の板状部で挟まれる形になる。５ａが引出される時にガイドとなる円筒面部３ｄはロール紙の滑りが良いように平滑な面である。また、３の板状部の中央には引出し方向に向かって解放されたＵ字状の切込み３ｂを有し、その幅は２０ｍｍ程度である。３ｂの大きさは、指の先端の腹部が充分にロール紙と接触できる大きさであり、且つ、大きすぎてもロール紙を定位置に保持できれば、これに限定されない。板状部の幅方向の両端には2の裏面に向かって僅かに突出した段部３ａがあり、2の板状部の下面と、これに対向して共同で５ａ部を保持しする3の板状部の上面との最小距離をロール紙の厚み以上に保ち、引出し時に2の自重による押さえ込みで引出しに対する余分な摩擦抵抗を生まないようにしている。
【００１６】
3の３ｄ部近傍のロール紙５側には3の両側に設けられた軸穴３ｅに軸支されて、ロール紙5の回転軸と平行な回転軸で回転可能なローラー４を設けている。４は通常時や使用時に５の外周面に常に当接し、５の引出し時の回転とともに回転するように成されている。５ａの引出し抵抗を小さくできれば、ローラーの代わりに5の外周面と当接する滑らかな３の一部である円筒面であっても、3に固定の円柱の円筒面でも、指挿入の空間が確保できる位置関係の構成であれば良い。
【００１７】
以上の構成で、２と３及び４はロール紙5の使用に伴う外周径の減少に伴って、回動軸心Ａを軸とし自重で回動動作を行い、常に４の外周面が5の外周面に当接するように追従動作する。3の板状部配置と4の位置や大きさなどの調整により、2と3の板状部に支持された5の引出し部５ａの裏面と５の外周面との空間は、指を挿入できる以上の大きさを有している。
【００１８】
次に使用時の動作を説明する。まず、ロール紙の交換時には2と３の先端を上側にあげるようにして回動し、ロール紙は下から挿入する。挿入動作に従って回動支持部１ａ、１ｂは側壁側に回動して逃げ、その先端が5の中心円筒穴に挿入される形で元の位置に戻り、5は自重で１１ａ、１１ｂの上部の円筒面にロール紙芯５ｂの内径面をあて、回転可能に支持される。その後、4が5の外周面に当るまで3を下げ戻し、5の引出し部５ａを3の両アーム間のロール紙５上部の空間を通して、3の板状部の上に導き、その後2をこの上に被せるように下げ戻す。５ａの3と4の板状部からはみ出ている部分は、蓋い部材２を上から手で押さえながら、５ａのはみ出し部を上方に引上げるようにして２ａで切断すれば５ａの切断端がはみ出ていないきれいな通常時の外観になり、使用準備完了である。
【００１９】
使用時には、人差し指（中指でも良いが）を3の板状部の下側に、親指を2の板状部の上側に持って行き、3ｂと穴部２ｂに挿入し、両指の腹でロール紙先端部をつまみ必要量引出す。引出し動作の初期の途中で人差し指の腹の一部が穴と刃部の間の2の肉によりロール紙に接触しない範囲があるが、その面積は小さいので指の腹は常に紙をつまんでいることになり５ａのつまみと引出しは円滑に可能である。この接触しない面積をできる限り小さく抑えるための形状と寸法は、刃部の強度も考慮して設定する必要がある。2がステンレスなどの金属板製の場合にはもっとも短い距離として１ｍｍ程度で厚さ０．３ｍｍ程度が可能である。2がプラスチック製の一体ものである場合、距離として5ｍｍ程度、厚さは０．２ｍｍ程度から１．５ｍｍ程度まで刃部２ａに向かって徐々に厚くなる構成にすると、２ａの強度も引出しの円滑さも充分確保できる。刃部２ａと、2の本体部分を別素材で構成し、所要の要求事項を満たし易くする方法もある。必要長さ引出したら２を上部より手で押さえて、3と4を介して切断時に掛かる引張力による5の回転を抑えながら、５ａを上方に引上げるようにして切断する。切断した後は、そのままで最初の状態に戻るので、使用しないときの外観であり、５ａの切断端部が２ａ部と同位置にあるので外観も美しいし、また、５ａが定位置にあるので、次の使用時につまみやすい状態を確保できる。
【００２０】
使用しないときの状態は５ａの切断端もはみ出てはいず、且つ２ａも突出した状態に無く3の端部で殆どがガードされているので、掃除時などに手元が狂って濡れた手が装置に当っても、ぬれて弱くなった手の皮膚が２ａで切り傷を負うような危険な要素も極めて少ない。
【実施例２】
【００２１】
次に、取付け面からの突出寸法が少し大きくなるが、構造が第一の実施例より簡単で堅牢な、第二の実施例を図8から１２で説明する。第二ホルダーベース１１と第二蓋い部材１２については、形状が細部では異なるが、構成は第一の実施例と概略同一なので細かな説明は省略する。
【００２２】
第二受け部材１３は、ロール紙5の引出し方向の１１の先端部の軸穴１１ｅに軸支されていて、ロール紙５の交換時には障害にならないように、回動軸心Ｃを軸に図９での時計回りに９０度以上回動できるように構成されているが、通常時と使用時は１１に対して図示の位置で固定の状態である。この１３の回動は上記の説明とは異い回動軸心Ｃに対して直角で、１１の右側壁あるいは左側壁部に沿った軸で回動するようにし、ロール紙5の交換に支障ないようにする方法もある。また、固定のままでもロール紙の交換に支障が無い位置に設けることも可能で、装置が大きくなるが構造は簡素になる。
【００２３】
第一の実施例と異なる点は、１２も１３もロール紙５の使用による外周径の減少に追随して回動する事は無く、５の交換時以外は固定位置であることである。また、５ａ引出し後の切断時にはロール紙５の回転ストッパーは無いので、切断時に５ａがずるずると移動し、切断端が醜くならないように、１２の板状部と１３の板状部での挟み込みで５ａの動きを抑える必要である。１２の板状部と１３の板状部を幅方向に平行度良く設置して、１２を上から押さえたときに５ａを幅方向全域で押さえて５ａの動きを抑えることも可能であるが、より確実性のある方法として、１２の裏側の図９で示す１２ｄの位置に、図１１で示すようにロール紙５の幅方向に細長く弾性質で表面が滑らかな土手状のストッパー１４を設けて、切断時には１２を手で上から押さえることにより、このストッパー１４と１３の板状部の面とで挟みこんで５ａの動きを抑える事が最良である。14の位置は１２ｄの位置でなくても、１２と１３の互いの板状部で５ａを押さえられる位置ならば、図示位置にはこだわらない。
【００２４】
また、引出し時には１２の自重が５ａに押圧力として掛かり引出しの抵抗になり５ａが円滑に引出されなくならないように、図１２に示すように１３の板状部の両側に板ばね状部材部１３ｃと、この先端にかまぼこ形状部１３ｄを設けて、１２の板状部の面とこれと対向する13の板状部の面の間隔を１２の通常時はロール紙の紙厚よりも大きく、且つ、紙の切断時の１２の手の押さえ込みに対しては、１３ｃが変形し逃げて、１２と１３の双方の板状部の面で５ａ部を挟み込んで、切断時に掛かる引張りに対して５ａが移動しないようにすることも、より使い勝手を良くする方法である。この１３ｃと１３ｄの構成は１３をプラスチック成形品として一体成形で形状を作る例であるが、別体の金属ばねでも別材質でのプラスチックの薄板片によるものでも、あるいはスポンジシートやゴム材質のものを１３の両端に構成しても、その役目を果たす構造にすることはできる。また、上記の構造は１２側に設けても一向に差し支えは無い。
【００２５】
前記の2つの段落（００２３と００２４）で述べた構造は、同時に適用しても良いし、第一の実施例においては、３ａを設けずに適用しても良い。構成の部材は増加してコストは上昇するが、より切断時の５ａの移動をより確実に抑えられる。
【００２６】
使い勝手の良さや、安全性、美観の点などの効果は第一の実施例と同一であるので割愛する。尚、本構造のホルダーを初めて使用するような場合で、使用法がわからない人の場合には、従来のものと同様にカバーである２や１２を持ち上げれば一目瞭然で、受け部材の板状部の上にある紙の先端を切込み部分でつまみ出せば、従来並みの以上の引出し易さは確保できる。
【産業上の利用可能性】
【００２７】
上記の実施例はトイレットペーパーホルダーの例であるが、必要長さ引出してカットし使用に供する他のロール紙や、材質が極薄のプラスチックシートのもの、あるいは幅広のテープなど、面に粘着材を有しないロール状の物のホルダー全般に摘要可能である。
【符号の説明】
【００２８】
１        ホルダーベース
１ａ      ホルダーベースに設けられた右側のロール紙支持部材
１ｂ      ホルダーベースに設けられた左側のロール紙支持部材
１ｃ      ホルダーベースに設けられた支軸穴
１ｄ１    ホルダーベースに設けられた取り付け用穴
１ｄ２    ホルダーベースに設けられた取り付け用穴
１ｄ３    ホルダーベースに設けられた取り付け用穴
２        蓋い部材
２ａ      蓋い部材に設けられた刃部
２ｂ      蓋い部材に設けられた指挿入用の穴
２ｃ      蓋い部材に設けられた回動用の支持穴
３        受け部材
３ａ      受け部材に設けられたカバー受け用の突出の段部
３ｂ      受け部材の中央に設けられたＵ字状の切込み
３ｃ      受け部材に設けられた回動用の軸穴
３ｄ      受け部材に設けられたロール紙ガイド用の円筒面部
３ｅ      受け部材に設けられたローラー回転支持用の軸穴
４        ローラー
５        ロール紙
５ａ      ロール紙の引出し部
５ｂ      ロール紙芯材
１１      第二ホルダーベース
１１ａ    第二ホルダーベースに設けられた右側のロール紙支持部材
１１ｂ    第二ホルダーベースに設けられた左側のロール紙支持部材
１１ｃ    第二ホルダーベースに設けられた支軸穴
１１ｄ１  第二ホルダーベースに設けられた取付け用穴
１１ｅ    第二ホルダーベースに設けられた受け部材回動支持用の軸穴
１２      第二蓋い部材
１２ａ    第二蓋い部材に設けられた刃部
１２ｂ    第二蓋い部材に設けられた指挿入用穴
１２ｄ    第二蓋い部材に設けられる弾性質のストッパー用土手の設置例位置
１３      第二受け部材
１３ｂ    第二受け部材に設けられたＵ字状の切込み
１３ｃ    第二受け部材に設けられた板ばね状部材部
１３ｄ    板ばね状部材部先端のかまぼこ形状部
１４      第二蓋い部材の裏面に設けられた弾性質のストッパー
Ｘ        図面上のＸ軸方向
Ｙ        図面上のＹ軸方向
Ｚ        図面上のＺ軸方向
Ａ        回動軸心Ａ
Ｂ        回動軸心Ｂ
Ｃ        回動軸心Ｃ
【図１】
0003163766.tif 000003
【図２】
0003163766.tif 000004
【図３】
0003163766.tif 000005
【図４】
0003163766.tif 000006
【図５】
0003163766.tif 000007
【図６】
0003163766.tif 000008
【図７】
0003163766.tif 000009
【図８】
0003163766.tif 000010
【図９】
0003163766.tif 000011
【図１０】
0003163766.tif 000012
【図１１】
0003163766.tif 000013
【図１２】
0003163766.tif 000014